(57)【要約】      （修正有） 【課題】ノート、手帳等に取り付け、使用時には迅速に使用することが可能なシールシートを提供する。【解決手段】台紙部１１と、台紙部１１に剥離可能に設けられ、貼付可能に形成されたシール１２とを備えたシールシート１０であって、台紙部１１は全体平面正方形状に形成され、シール１２が設けられない貼着固定部１４を有する。【選択図】図１
0003208427.tif 000002
【実用新案登録請求の範囲】
【請求項１】
、
台紙部と、前記台紙部に対して剥離可能であって貼付可能に形成されたシールとを備えたシールシートであって、前記台紙部は前記シールが設けられない貼着固定部を有することを特徴とするシールシート。
【請求項２】
前記貼着固定部には粘着剤が配設されていると共に、剥離可能なセパレータにより被覆されていることを特徴とする請求項１記載のシールシート。
【請求項３】
前記台紙部はシール配設部と前記貼着固定部とからなり、前記シール配設部には、複数設けられた台紙部の貫通孔からなるシール収納部と、前記シール収納部内に剥離可能に収納されたシールとを有し、前記台紙部の裏面側部には全域に亘って粘着剤部が形成されると共に前記粘着剤部を被覆するセパレータが、前記貼着固定部のみを剥離可能に設けられていることを特徴とする請求項１記載のシールシート。
【請求項４】
前記台紙部は方形状に形成され、前記貼着固定部は、前記台紙部の上端部に所定幅に沿って設けられていることを特徴とする請求項１記載のシールシート。
【請求項５】
前記シール収納部は複数設けられると共に、前記シール収納部に対応するシールが設けられていることを特徴とする請求項１記載のシールシート。
【考案の詳細な説明】
【技術分野】
【０００１】
本考案は、シールシートの改良に関する。
【背景技術】
【０００２】
一般に、各種ノート、手帳の紙面上に貼付し、必要部位への注意喚起をしたり、装飾的に使用するための各種シールが広く使用されている。このようなシールは、通常は、台紙部と、前記台紙部に剥離可能に設けられ、貼付可能に形成されたシールとを備え、シールを台紙部から剥離させてノートのページの適宜部位に貼付するものである。
【０００３】
しかしながら、このような従来のシールシートにあっては、通常は所定の場所に収納してあり適宜取り出して使用するものであり、必要性が生じた場合に、すぐにシールシートを捜しだすことができず、長時間さがさなければならない場合もあった。
【０００４】
このような観点から本件出願人は従来技術調査を行い以下の２件の文献を抽出し、検討したが、いずれも前記課題とは関連性のない文献である。
【先行技術文献】
【特許文献】
【０００５】
【特許文献１】実用新案登録第３０５８６７３号
【特許文献２】特開２０１４−７７９２１号
【考案の概要】
【考案が解決しようとする課題】
【０００６】
本考案はこのような従来からの不具合を解決するためのものであって、その課題は、使用しているノート、手帳等に取り付け、使用時には迅速に使用することが可能なシールシートを提供することにある。
【課題を解決するための手段】
【０００７】
上記課題達成のため、請求項１記載の考案にあっては、台紙部と、前記台紙部に剥離可能に設けられ、貼付可能に形成されたシールとを備えたシールシートであって、前記台紙部は前記シールが設けられない貼着固定部を有することを特徴とする。
【０００８】
従って、請求項１記載の考案にあっては、前記貼着固定部により適宜、ノート、手帳等に貼着固定することができる。
請求項２記載の考案にあっては、前記貼着固定部には粘着剤が配設されていると共に剥離可能なセパレータにより被覆されていることを特徴とする。
【０００９】
請求項２記載の考案にあっては、固定時には前記セパレータを剥離させて、粘着剤を露出させノートのページ等に固定する。
請求項３記載の考案にあっては、前記台紙部はシール配設部と前記貼着固定部とからなり、前記シール配設部には、複数設けられた台紙部の貫通孔からなるシール収納部と、前記シール収納部内に剥離可能に収納されたシールとを有し、前記台紙部の裏面側部には全域に亘って粘着剤部が形成されると共に前記粘着剤部を被覆するセパレータが、前記貼着固定部のみを剥離可能に設けられていることを特徴とする。
【００１０】
請求項４記載の考案にあっては、前記台紙部は方形状に形成され、前記貼着固定部は、前記台紙部の上端部に所定幅に沿って設けられていることを特徴とする。
請求項５記載の考案にあっては、前記シール収納部は複数設けられると共に、前記シール収納部に対応するシールが設けられていることを特徴とする。
【考案の効果】
【００１１】
請求項１記載の考案にあっては、前記貼着固定部により適宜、ノート、手帳等に貼着固定することができることから、使用しているノート、手帳等に取り付け、使用時には迅速に使用することが可能となる。
【００１２】
請求項２記載の考案にあっては、固定時には前記セパレータを剥離させて、粘着剤を露出させノートのページ等に固定することが可能となる。
【００１３】
請求項３記載の考案にあっては、前記台紙部はシール配設部と前記貼着固定部とからなり、前記シール配設部には、複数設けられた台紙部の貫通孔からなるシール収納部と、前記シール収納部内に剥離可能に収納されたシールとを有し、前記台紙部の裏面側部には全域に亘って粘着剤部が形成されると共に前記粘着剤部を被覆するセパレータが、前記貼着固定部のみを剥離可能に設けられており、前記セパレータを剥がして粘着固定部の粘着面部を露出させ、適宜、ノートのページ等に貼着することができる。その結果、請求項３記載の考案にあっては、 貼着固定部のみをノート等に固定して使用することができる。
【００１４】
請求項４記載の考案にあっては、前記台紙部は方形状に形成され、前記貼着固定部は、前記台紙部の上端部に所定幅に沿って設けられていることから、台紙部の上端部のみをノートに貼着して固定して使用することができる。
請求項５記載の考案にあっては、前記シール収納部は複数設けられると共に、前記シール収納部に対応するシールが設けられていることから、多数のシールを備えたシールシートを提供できるため、使用者は多数回に亘ってシールを使用することが可能となる。
【図面の簡単な説明】
【００１５】
【図１】本考案に係るシールシートの一実施の形態を示す平面図である。
【図２】本考案に係るシールシートの一実施の形態を示す断面図である。
【図３】本考案に係るシールシートの一実施の形態を示す断面図であって、貼着固定部を被覆するセパレータを剥がした状態を示す図である。
【図４】本考案に係るシールシートの一実施の形態を示す断面図であって、貼着固定部を被覆するセパレータを剥がし、ノート等のページに張り付けた状態を示す図である。
【考案を実施するための形態】
【００１６】
以下、添付図面に示す実施の形態に基づき、本考案を詳細に説明する。
図１に示すように、本実施の形態に係るシールシート１０にあっては、台紙部１１と、台紙部１１に対して剥離可能であって貼付可能に形成された複数のシール１２とを備えている。
【００１７】
台紙部１１は全体平面正方形状に形成され、台紙部１１はシール配設部１３と、台紙部１１の上端部に設けられた貼着固定部１４とからなる。
貼着固定部１４は台紙部１１の上端部において幅方向に沿って帯状に形成され、シール配設部１３には、台紙部１１の厚さ方向に貫通して設けられた貫通孔１６からなる複数のシール収納部１７と、シール収納部１７内に剥離可能に収納されたシール１２とが設けられている。本実施の形態にあっては、平面ハート型の貫通孔１６が横６列、縦７列に、全体として４２個の孔部が開設され、内部に同一形状のハート型のシールが配置されている。
【００１８】
図２に示すように、台紙部１１の裏面側部には全域に亘って粘着剤部１７が形成されている。従って、シール収納部１７内に収納されたシール１２は裏面側において粘着剤部２１に剥離可能に粘着され、シール配設部１３に固定されている。また、粘着剤部２１を被覆するセパレータ１８が粘着剤部２１を全面的に被覆して配設されており、貼着固定部１４とシール配設部１３との間にはミシン目１９が形成されており、セパレータ１８の貼着固定部対応部２０のみを剥がすことができるように構成されている。
【００１９】
以下、本実施の形態に係るシールシート１０の作用について説明する。
本実施の形態に係るシールシート１０を使用する場合には、図３に示すように、セパレータ１８の貼着固定対応部２０を剥がし、貼着固定部１４の粘着面を露出させ、適宜、使用者が使用しているノート、手帳等の所定のページ等に貼着させる。
【００２０】
この状態でシールシート１０は、上端部に帯状に形成された貼着固定部１４のみが所定のページに固定される。そして、シール１２を使用する場合には、所望のシール１２をシール収納部１７から剥がして取り出して適宜、ノートの所望の位置に貼着固定することができる。
【００２１】
その結果、本実施の形態にあっては、図４に示すように、シールシート１０を、常時、使用しているノートや手帳に貼り付けておくことができるため、その都度、シールシート１０を探す必要がなく、迅速にシール１２を使用することが可能となる。シールや、シール収納部の具体的形状、個数に関しては本実施の形態に限定されない。
【産業上の利用可能性】
【００２２】
本考案はシールシートに関することから、産業上の利用可能性を有している。
【符号の説明】
【００２３】
１０  シールシート
１１  台紙部
１２  シール
１３  シール配設部
１４  貼着固定部
１６  貫通孔
１７  シール収納部
１８  セパレータ
１９  ミシン目  
２０  貼着固定対応部
【図１】
0003208427.tif 000003
【図２】
0003208427.tif 000004
【図３】
0003208427.tif 000005
【図４】
0003208427.tif 000006
【手続補正書】
【提出日】平成28年11月8日(2016.11.8)
【手続補正１】
【補正対象書類名】実用新案登録請求の範囲
【補正対象項目名】請求項１
【補正方法】変更
【補正の内容】
【請求項１】
台紙部と、前記台紙部に対して剥離可能であって貼付可能に形成されたシールとを備えたシールシートであって、前記台紙部は前記シールが設けられない貼着固定部を有することを特徴とするシールシート。
【手続補正２】
【補正対象書類名】実用新案登録請求の範囲
【補正対象項目名】請求項５
【補正方法】変更
【補正の内容】
【請求項５】
前記シール収納部は複数設けられると共に、前記シール収納部に対応するシールが設けられていることを特徴とする請求項３記載のシールシート。